(57)【要約】      （修正有）【課題】雄コネクタ及び雌コネクタからなるコネクタ装置の小型化を図る。【解決手段】雌コネクタ１は、本体１１に形成された可撓性を有するロックアーム１２と、ロックアーム１２に形成されたロック部１４と、ロックアーム１２に形成された干渉片１３とを備える。雄コネクタ２は、ロックアーム１２を本体１１と共に収容する収容室と、フード部２２の上壁に設けられた係合孔２３と、フード部２２に設けられた被干渉板２４とを備える。雄コネクタ２は、雌コネクタ１の本体１１と共にロックアーム１２が収容室に挿入されると、ロックアーム１２のロック部１４をフード部２２上壁に当接される。これにより、ロックアーム１２が撓んで干渉片１３が被干渉板２４に押し付けられる。係合孔２３にロック部１４が落ち込むと、ロックアーム１２におけるロック部１４の形成面が、収容室２２ａの上壁に当接して、嵌合音が発生する。【選択図】図５
2010040433.tif 000002
【特許請求の範囲】
【請求項１】
本体に形成された可撓性を有するロックアームと、前記ロックアームに形成されたロック部と、前記ロックアームに形成された干渉部材とを備え、
前記ロックアームと共に前記本体を雄コネクタの収容室に挿入されると、前記収容室の一側壁に前記ロック部を当接させて前記ロックアームを撓ませて、前記収容室に設けられた被干渉部材に前記干渉部材を押し付け、
前記収容室の前記一側壁に凹部又は孔を設けて構成された係合部に前記ロック部が落ち込むと、前記ロックアームにおける前記ロック部の形成面を前記収容室の前記一側壁に当接させて、前記ロック部と前記係合部とを係合させることを特徴とする雌コネクタ。
【請求項２】
雌コネクタの本体に形成されて可撓性を有するロックアームを前記本体と共に収容する収容室と、前記収容室の一側壁に凹部又は孔を設けて構成された係合部と、前記収容室に設けられた被干渉部材とを備え、
前記雌コネクタの前記本体と共に前記ロックアームが前記収容室に挿入されると、前記ロックアームの備えるロック部を前記一側壁に当接されて前記ロックアームを撓ませて、前記ロックアームの備える干渉部材を前記被干渉部材に押し付けられ、
前記係合部に前記ロック部が落ち込むと、前記ロックアームにおける前記ロック部の形成面に、前記収容室の前記一側壁が当接されて、前記ロック部を前記係合部に係合されることを特徴とする雄コネクタ。
【請求項３】
前記雌コネクタとの嵌合過程において、前記被干渉部材は、前記雌コネクタに対して前記干渉部材のみに干渉するように構成されていることを特徴とする請求項２に記載の雄コネクタ。
【発明の詳細な説明】
【技術分野】
【０００１】
本発明は、相手方コネクタとの嵌合音を発生させる雄コネクタ及び雌コネクタに関する。
【背景技術】
【０００２】
従来、この種のコネクタとしては、下記の特許文献１に示すコネクタ装置が開示されている。このコネクタ装置では、雄コネクタを雌コネクタの収容室に収容して両コネクタ同士を嵌合させる際に、雌コネクタのハウジングに設けられた撓み片を、雄コネクタのハウジングに設けられた押圧部で押動させて撓み片を撓ませた後、撓みの解けた撓み片を衝突部に衝突させて嵌合音を発生させる。
【０００３】
【特許文献１】特開２００６−２７９６０号公報
【発明の開示】
【発明が解決しようとする課題】
【０００４】
上記特許文献１に記載のコネクタ装置では、嵌合音を発生させるために用いる雄コネクタの押圧部並びに衝突部及び雌コネクタの撓み片の収納スペースを、両コネクタ同士の装着に用いるロックレバー及びロック突部を収容するスペースとは別に、収容室に設ける必要があり、コネクタ装置の大型化を招く虞があった。
【０００５】
本発明は斯かる課題に鑑みてなされたもので、上記課題を解決できる雄コネクタ及び雌コネクタを提供することを目的とする。
【課題を解決するための手段】
【０００６】
このような目的を達成するために、本発明の雌コネクタは、本体に形成された可撓性を有するロックアームと、前記ロックアームに形成されたロック部と、前記ロックアームに形成された干渉部材とを備え、前記ロックアームと共に前記本体を雄コネクタの収容室に挿入されると、前記収容室の一側壁に前記ロック部を当接させて前記ロックアームを撓ませて、前記収容室に設けられた被干渉部材に前記干渉部材を押し付け、前記収容室の前記一側壁に凹部又は孔を設けて構成された係合部に前記ロック部が落ち込むと、前記ロックアームにおける前記ロック部の形成面を前記収容室の前記一側壁に当接させて、前記ロック部と前記係合部とを係合させることを特徴とする。
また、本発明の雄コネクタは、雌コネクタの本体に形成されて可撓性を有するロックアームを前記本体と共に収容する収容室と、前記収容室の一側壁に凹部又は孔を設けて構成された係合部と、前記収容室に設けられた被干渉部材とを備え、前記雌コネクタの前記本体と共に前記ロックアームが前記収容室に挿入されると、前記ロックアームの備えるロック部を前記一側壁に当接されて前記ロックアームを撓ませて、前記ロックアームの備える干渉部材を前記被干渉部材に押し付けられ、前記係合部に前記ロック部が落ち込むと、前記ロックアームにおける前記ロック部の形成面に、前記収容室の前記一側壁が当接されて、前記ロック部を前記係合部に係合されることを特徴とする。
また、本発明は、前記雌コネクタとの嵌合過程において、前記被干渉部材が、前記雌コネクタに対して前記干渉部材のみに干渉するように構成されていることを特徴とする。
【発明の効果】
【０００７】
本発明によれば、ロックアームのロック部と収容室の係合部とを係合させるためにロックアームを撓ませる収容室のスペースに、嵌合音を発生させる干渉部材及び被干渉部材を収容することで、雄コネクタ及び雌コネクタからなるコネクタ装置の小型化を図ることができる。
【発明を実施するための最良の形態】
【０００８】
以下、図面を参照して、本発明の最良の形態を説明する。
図１は本実施形態の雌コネクタ１の構成の概略を示す図であり、（ａ）は前方からの斜視図，（ｂ）は左側面図である。図２は本実施形態の雄コネクタ２の構成の概略を示す断面図である。なお、以下の説明で用いる上下，前後，及び左右の各方向は説明に用いる各図に示している。この上下は説明のために記載したもので、実際の配置と異なってよいことはもちろんである。
【０００９】
図１に示すように、雌コネクタ１は、端子キャビティ（不図示）を前端面に開口させた本体１１の上面にロックアーム１２を備えている。ロックアーム１２は、本体１１の前端部で上方に延びる基端部１２ａから、本体１１の延設方向に沿って後方に向けて板状に延びている。ロックアーム１２は、基端部１２ａから後方にかけて上面を上昇傾斜させており、後端部には指当部１５が設けられている。
【００１０】
ロックアーム１２の前後の長さ方向の中央部には、ロック部１４が設けられている。ロック部１４は、ロックアーム１２の上面を略四角ブロック状に膨出させた形状を有しており、下端側から上端側にかけて後方に傾斜した前端面１４ａを備えている。また、ロックアーム１２の前後の長さ方向の中央部には、ロックアーム１２の左右の側方に延びる一対の干渉片１３が設けられている。各干渉片１３は、ロックアーム１２の左右の幅を拡幅させて構成されており、ロック部１４を挟んで互いが向かい合う位置に形成されている。
【００１１】
図２に示すように、雄コネクタ２は、端子キャビティ（不図示）を後端面に開口させた本体２１と、本体２１の後端部から略四角筒状を呈して後方に延びたフード部２２とを備えている。フード部２２は、雌コネクタ１の前端部での本体１１の下端からロックアーム１２の基端部１２ａの上端までの高さ（図１参照）とほぼ等しい高さを、上壁と下壁との間に有しており、雌コネクタ１の本体１１及びロックアーム１２を収容室２２ａに収容する。
【００１２】
フード部２２の上壁には、雌コネクタ１のロックアーム１２が備えるロック部１４と係合する係合孔２３が、上壁を上下方向に貫通して形成されている。フード部２２の左右の側壁の内面からは、向かい合う側壁に向けて一対の被干渉板２４が延びている。各被干渉板２４は、係合孔２３よりやや前方に前端部を位置させて、係合孔２３を挟んで互いが向かい合って位置しており、フード部２２の上壁に沿って前後方向に延びている。
【００１３】
被干渉板２４は、雌コネクタ１が雄コネクタ２の収容室２２ａされてから両コネクタ１，２同士が嵌合するまでの間に、雌コネクタ１に対して干渉片１３のみに干渉するように構成されている。具体的には、被干渉板２４は、ロック部１４の形成位置におけるロックアーム１２の下面からロック部１４の上端面までの高さよりもやや狭い間隔を、フード部２２の上壁との間において配置されている。また、被干渉板２４は、雌コネクタ１の本体１１の高さよりも広い間隔を、フード部２２の下壁との間において配置されている。また、各被干渉板２４の間には、収容室２２ａ内を移動するロックアーム１２の基端部１２ａの左右の幅よりも広い間隔が設けられている。
【００１４】
図３〜図５は、雌コネクタ１に雄コネクタ２を装着する際の動作を説明する図である。
雌コネクタ１をロックアーム１２の基端部１２ａを備えた前端側から、図３に矢印Ａで示すように、雄コネクタ２が備えるフード部２２の後端開口部に挿入すると、基端部１２ａから後方に向けて上昇傾斜したロックアーム１２の上面が、フード部２２の上壁の内面と干渉する。雌コネクタ１がフード部２２に挿入され続けると、ロックアーム１２は、基端部１２ａを支点として下方に撓んでフード部２２の上壁に対して弾発力を働かせる。その後、図４に示すように、ロックアーム１２の干渉片１３が被干渉板２４の上方まで移動すると、ロック部１４の前端面１４ａからフード部２２の上壁がロック部１４に乗り上げ、フード部２２の上壁と被干渉板２４とにロックアーム１２が挟み込まれる。
【００１５】
これにより、ロックアーム１２は、被干渉板２４と共に下方に大きく撓み、図４に矢印Ｂで示すように、被干渉板２４とでフード部２２の上壁に対してより大きな弾発力を働かせる。ロックアーム１２のロック部１４が係合孔２３の下方まで移動すると、図５に示すように、ロックアーム１２及び被干渉板２４の撓みが解けて、ロック部１４が係合孔２３内に下側から進入する。撓みの解けたロックアーム１２及び被干渉板２４は、図５に矢印Ｃで示すように、ロックアーム１２を上方に付勢するように弾発力を働かせ、ロック部１４の周囲に位置するロックアーム１２の上面を係合孔２３の周囲に位置するフード部２２の上壁の内面に衝突させる。この衝突により、嵌合音が発生する。
【００１６】
本実施形態によれば、ロックアーム１２を撓ませてロック部１４係合孔２３とを係合させるために設けられた収容室２２ａのスペースに、嵌合音を発生させる干渉片１３及び被干渉板２４を収容することができる。このため、雌コネクタ１及び雄コネクタ２からなるコネクタ装置の小型化を図ることができる。
【００１７】
また、雌コネクタ１が雄コネクタ２の収容室２２ａに挿入されてから両コネクタ１，２同士が嵌合するまでの間に、雌コネクタ１に対して干渉片１３のみに干渉するように被干渉板２４が構成されていることから、嵌合音の発生以外に余分な力を必要とせず、雄コネクタ２に対する雌コネクタ１の押し込みを行わせることができる。
【００１８】
上記実施形態では、ロックアーム１２を拡幅させてなる板状の干渉片１３から干渉部材が構成され、フード部２２の左右の側壁に設けられた板状の被干渉板２４から被干渉部材が構成されていた場合について説明した。しかしながら、干渉部材及び被干渉部材の構成は任意であり、板状である必要はない。
【００１９】
また、被干渉板２４は、フード部２２の左右の側壁に設けられている必要はなく、上壁に設けられていてもよい。また、干渉片１３はロックアーム１２を拡幅させて構成されている必要はなく、ロックアーム１２の上面や下面に形成されていてもよい。また、基端部１２ａと被干渉板２４との干渉を避けられるのであれば、ロックアーム１２の下方に干渉片１３が突出していてもよい。
【００２０】
また、ロックアーム１２は、ロック部１４を収容室２２ａを構成するフード部２２の上壁に当接させて撓んだ後、フード部２２の上壁に形成された係合孔２３にロック部１４を係合させるのであれば、その構成は任意であり、本体１１の前端部に基端部１２ａを位置させている必要はない。また、ロックアーム１２のロック部１４が係合する係合部は、フード部２２の上壁を貫通する係合孔２３である必要はなく、上壁に凹部を設けて構成してもよい。また、干渉片１３及び被干渉板２４の数量は任意である。
【図面の簡単な説明】
【００２１】
【図１】本発明の一実施形態の雌コネクタの構成の概略を示す図であり、（ａ）は前方からの斜視図，（ｂ）は左側面図である。
【図２】本発明の一実施形態の雄コネクタの構成の概略を示す断面図である。
【図３】雌コネクタに雄コネクタを装着する際の動作を説明する第１の図である。
【図４】雌コネクタに雄コネクタを装着する際の動作を説明する第２の図である。
【図５】雌コネクタに雄コネクタを装着する際の動作を説明する第３の図である。
【符号の説明】
【００２２】
１  雌コネクタ
１１  本体
１２  ロックアーム
１２ａ  基端部
１３  干渉片
１４  ロック部
１５  指当部
２  雄コネクタ
２１  本体
２２フード部
２２ａ  収容室
２３  係合孔
２４  被干渉板
【図１】
2010040433.tif 000003
【図２】
2010040433.tif 000004
【図３】
2010040433.tif 000005
【図４】
2010040433.tif 000006
【図５】
2010040433.tif 000007